【手続補正書】
【提出日】平成26年2月25日(2014.2.25)
【手続補正１】
【補正対象書類名】特許請求の範囲
【補正対象項目名】全文
【補正方法】変更
【補正の内容】
【特許請求の範囲】
【請求項１】
薬物送達デバイスであって、
遠位端（８０８、８２８、９１０）及び近位端（８０６、８２６、９５８）を有する本体（８０２、８２２、８５２、９０２、９５６）（ここで、遠位端（８０８、８２８、９１０）は投与インターフェースに取り付けるように構成される）；
本体（８０２、８２２、８５２、９０２、９５６）に連結され、そしてそれから連結解除されるように構成される分離可能ハウジング（８０４、８２４、８５４、９０４、９６２）；
本体（８０２、８２２、８５２、９０２、９５６）によって提供される伝導エレメント（８１０、８３０、９６４）（ここで、デバイス（８００、８２１、８５０、９５２）は伝導エレメント（８１０、８３０、９６４）と外部電気コネクタ（８４９、８５７、８６２、９０７、９６８、９７２）の間の電気的接続を確立するように構成される）；を含んでなり、
ここで、デバイス（８００、８２１、８５０、９５２）は、
−分離可能ハウジング（８０４、８２４、８５４、９０４、９６２）が本体（８０２、８２２、８５２、９０２、９５６）に連結されたとき、薬物送達デバイス（８００、８２１、８５０、９５２）による薬物の投与が、本体（８０２、８２２、８５２、９０２、９５６）の遠位端（８０８、８２８、９１０）の少なくとも一部を覆う分離可能ハウジング（８０４、８２４、８５４、９０４、９６２）により阻止され、そして
−分離可能ハウジング（８０４、８２４、８５４、９０４、９６２）が本体（８０２、８２２、８５２、９０２、９５６）から連結解除されたとき、薬物送達デバイス（８００、８２１、８５０、９５２）による薬物の投与が可能にされる、
ように構成され、
−分離可能ハウジング（８０４、８２４、８５４、９０４、９６２）が本体（８０２、８２２、８５２、９０２、９５６）に連結されたとき、伝導エレメント（８１０、８３０、９６４）と外部電気コネクタ（８４９、８５７、８６２、９０７、９６８、９７２）の間の電気的接続の確立が、本体（８０２、８２２、８５２、９０２、９５６）と相互作用しそしてデバイスへの外部電気コネクタ（８４９、８５７、８６２、９０７、９６８、９７２）のアクセスを可能にする分離可能ハウジング（８０４、８２４、８５４、９０４、
９６２）により可能になり、そして
−分離可能ハウジング（８０４、８２４、８５４、９０４、９６２）が本体（８０２、８２２、８５２、９０２、９５６）から連結解除されたとき、伝導エレメント（８１０、８３０、９６４）と外部電気コネクタ（８４９、８５７、８６２、９０７、９６８、９７２）の間の電気的接続の確立が阻止される、
ことを特徴とする、
上記薬物送達デバイス。
【請求項２】
請求項１に記載の薬物送達デバイスであって、ここで、本体（８０２、８２２、８５２、９０２、９５６）は滑りドア（８１２）を含み、ここで、滑りドア（８１２）は開位置において伝導エレメント（８１０、８３０、９６４）を覆わず、そしてここで、滑りドア（８１２）は、閉位置において伝導エレメント（８１０、８３０、９６４）を少なくとも部分的に覆う、上記薬物送達デバイス。
【請求項３】
請求項１又は２に記載の薬物送達デバイスであって、ここで、本体（８０２、８２２、８５２、９０２、９５６）は枢動部材（８３２）を含み、ここで、枢動部材（８３２）は開位置において伝導エレメント（８１０、８３０、９６４）を覆わず、そしてここで、枢動部材（８３２）は、閉位置において伝導エレメント（８１０、８３０、９６４）を少なくとも部分的に覆う、上記薬物送達デバイス。
【請求項４】
請求項１〜３の何れか１項に記載の薬物送達デバイスであって、ここで、分離可能ハウジング（８０４、８２４、８５４、９０４、９６２）は、本体（８０２、８２２、８５２、９０２、９５６）の投与インターフェースへの取り付けを阻止することによって、薬物送達デバイス（８００、８２１、８５０、９５２）による薬物の投与を阻止する、上記薬物送達デバイス。
【請求項５】
請求項１〜４の何れか１項に記載の薬物送達デバイスであって、ここで、電気的接続の確立が可能になったとき、電気コネクタ（８４９、８６２、９６８）は、本体（８０２、８２２、８５２、９０２、９５６）の伝導エレメント（８１０、８３０、９６４）へのプラグインが可能にされる、上記薬物送達デバイス。
【請求項６】
請求項１〜５の何れか１項に記載の薬物送達デバイスであって、ここで、分離可能ハウジング（８０４、８２４、８５４、９０４、９６２）は、分離可能ハウジング（８０４、８２４、８５４、９０４、９６２）が本体（８０２、８２２、８５２、９０２、９５６）に連結されたとき、本体（８０２、８２２、８５２、９０２、９５６）の伝導エレメント（８１０、８３０、９６４）に接続する電気コネクタ（８４９、８６２、９６８）を含み；
ここで、分離可能ハウジング（８０４、８２４、８５４、９０４、９６２）は、分離可能ハウジング（８０４、８２４、８５４、９０４、９６２）の電気コネクタ（８４９、８６２、９６８）と電気的に接続状態にある伝導エレメント（８５６、９０６）を含み；そして
ここで、分離可能ハウジング（８０４、８２４、８５４、９０４、９６２）の伝導エレメント（８５６、９０６）は、対応する電気コネクタ（８５７、９０７、９７２）との電気的接続を確立するように構成される、上記薬物送達デバイス。
【請求項７】
請求項１〜６の何れか１項に記載の薬物送達デバイスであって、ここで、本体（８０２、８２２、８５２、９０２、９５６）の伝導エレメント（８１０、８３０、９６４）又は分離可能ハウジング（８０４、８２４、８５４、９０４、９６２）の伝導エレメント（８５６、９０６）は、ユニバーサルシリアルバス（ＵＳＢ）ポート、ファイヤワイヤ（Ｆｉｒｅｗｉｒｅ）ポート、ＲＳ２３２ポート、又はプロプラエタリポートの少なくとも一つ
を含み、そしてここで、電気コネクタ（８４９、８５７、８６２、９０７、９６８、９７２）は、ＵＳＢプラグ、ファイヤワイヤプラグ、ＲＳ２３２プラグ、又はプロプラエタリプラグの少なくとも対応する一つを含む、上記薬物送達デバイス。
【請求項８】
請求項１〜７の何れか１項に記載の薬物送達デバイスであって、ここで、本体（８０２、８２２、８５２、９０２、９５６）の伝導エレメント（８１０、８３０、９６４）又は分離可能ハウジング（８０４、８２４、８５４、９０４、９６２）の伝導エレメント（８５６、９０６）は、電力伝送又はデータの転送の少なくとも一つのために、電気コネクタ（８４９、８５７、８６２、９０７、９６８、９７２）との電気的接続を確立するように構成される、上記薬物送達デバイス。
【請求項９】
請求項６〜８の何れか１項に記載の薬物送達デバイスであって、ここで、分離可能ハウジング（８０４、８２４、８５４、９０４、９６２）の伝導エレメント（８５６、９０６）及び分離可能ハウジング（８０４、８２４、８５４、９０４、９６２）の電気コネクタ（８４９、８６２、９６８）は、分離可能ハウジング（８０４、８２４、８５４、９０４、９６２）中に配列されるコネクタ部材の一体部分を形成し、ここで、コネクタ部材は、対応する電気コネクタ（８５７、９０７、９７２）との第一の電気的接続、及び本体（８０２、８２２、８５２、９０２、９５６）の伝導エレメント（８１０、８３０、９６４）との第二の電気的接続を確立するように構成される、上記薬物送達デバイス。
【請求項１０】
請求項６〜９の何れか１項に記載の薬物送達デバイスであって、ここで、薬物送達デバイス（８００、８２１、８５０、９５２）は更に電子制御ユニットを含み、そしてここで、分離可能ハウジング（８０４、８２４、８５４、９０４、９６２）の伝導エレメント（８５６、９０６）は、分離可能ハウジング（８０４、８２４、８５４、９０４、９６２）が本体（８０２、８２２、８５２、９０２、９５６）に取り付けられたとき、電子制御ユニットに通信可能にリンクされる、上記薬物送達デバイス。
【請求項１１】
請求項１０に記載の薬物送達デバイスであって、ここで、分離可能ハウジング（８０４、８２４、８５４、９０４、９６２）の伝導エレメント（８５６、９０６）は、分離可能ハウジング（８０４、８２４、８５４、９０４、９６２）が本体（８０２、８２２、８５２、９０２、９５６）に連結されていないとき、薬物送達デバイス（８００、８２１、８５０、９５２）の電子制御ユニットと通信状態にない、上記薬物送達デバイス。
【請求項１２】
請求項１０又は１１に記載の薬物送達デバイスであって、
分離可能ハウジング（８０４、８２４、８５４、９０４、９６２）中に配列され、そして本体（８０２、８２２、８５２、９０２、９５６）の伝導エレメント（８１０、８３０、９６４）への電気的接続を提供するように構成されるブレードコネクタ（８６２）を更に含んでなり、
ここで、ブレードコネクタ（８６２）は分離可能ハウジング（８０４、８２４、８５４、９０４、９６２）の伝導エレメント（８５６、９０６）と通信状態にあり、そして
ここで、ブレードコネクタは、分離可能ハウジング（８０４、８２４、８５４、９０４、９６２）が本体（８０２、８２２、８５２、９０２、９５６）に取り付けられたとき、薬物送達デバイス（８００、８２１、８５０、９５２）の電子制御ユニットと通信する、上記薬物送達デバイス。
【請求項１３】
請求項１２に記載の薬物送達デバイスであって、ここで、分離可能ハウジング（８０４、８２４、８５４、９０４、９６２）の伝導エレメント（８５６、９０６）は分離可能ハウジング（８０４、８２４、８５４、９０４、９６２）の遠位端（８５８）上に配列され、そして
ここで、ブレードコネクタ（８６２）は分離可能ハウジング（８０４、８２４、８５４
、９０４、９６２）の近位端（８６４）上に配列される、上記薬物送達デバイス。
【請求項１４】
請求項１〜１３の何れか１項に記載の薬物送達デバイス、及びデバイス（８００、８２１、８５０、９５２）がドッキングステーション（９５４、１００４）中に着座するように構成されるドッキングステーション（９５４、１００４）を含んでなる、薬物送達システム。
【請求項１５】
薬物送達デバイス（８００、８２１、８５０、９５２）がドッキングステーション（９５４、１００４）内に着座しているとき、薬物送達デバイス（８００、８２１、８５０、９５２）が直立位置を有する、請求項１４に記載の薬物送達システム。